(57)【要約】【課題】一般道路を使ってランニングの練習を行なう場合においても、所定の時刻に通行不能となる場所での足止めを防止する。【解決手段】フィットネス装置は、所定の地域内に存在し、所定の時刻に通行が不能となる場所の位置情報と当該場所の通行不能時刻情報を示したデータベース（１２２）からユーザの移動先に存在する前記場所を探索する探索し（１１）、探索された前記場所にユーザが到着するユーザ到着時刻を算出して（１１）、算出された前記ユーザ到着時刻が、前記探索手段により探索された前記場所の通行不能時刻情報が示す時刻と合致するか否かを判定し（１１）、合致すると判定された場合、通知手段（１９）によりユーザに通行不能を示す情報を通知するように制御する（１１）。【選択図】図２
2015173707.tif 000002
【特許請求の範囲】
【請求項１】
所定の地域内に存在し、所定の時刻に通行が不能となる場所の位置情報と当該場所の通行不能時刻情報を示したデータベースと、
前記データベースからユーザの移動先に存在する前記場所を探索する探索手段と、
前記探索手段により探索された前記場所にユーザが到着するユーザ到着時刻を算出する到着時刻算出手段と、
前記到着時刻算出手段により算出された前記ユーザ到着時刻が、前記探索手段により探索された前記場所の通行不能時刻情報が示す時刻と合致するか否かを判定する判定手段と、
ユーザに情報を通知する通知手段と、
前記判定手段により、前記到着時刻算出手段により算出された前記ユーザ到着時刻が、前記探索手段により探索された前記場所の通行不能時刻情報が示す時刻と合致すると判定された場合、前記通知手段によりユーザに通行不能を示す情報を通知するように制御する通知制御手段と、
を備えたことを特徴とするフィットネス装置。
【請求項２】
移動中の前記ユーザの現在位置情報を取得する位置検出手段と、
前記ユーザの移動方角を取得する方角検出手段と、を更に備え、
前記探索手段は、前記ユーザの現在位置情報と前記ユーザの移動方角とに基づいて、前記データベースから前記ユーザの移動方角に存在し、前記ユーザの現在位置から最も近い前記場所を探索することを特徴とする請求項１に記載のフィットネス装置。
【請求項３】
前記ユーザの移動速度を取得する速度検出手段と、
現在時刻を取得する計時手段と、
前記位置検出手段により取得した前記ユーザの現在位置情報から、前記探索手段により探索された前記場所までの距離を算出する距離算出手段と、を更に備え、
前記到着時刻算出手段は、前記現在時刻と、前記ユーザの現在位置から探索された前記場所までの距離と、前記ユーザの移動速度とに基づいて、前記ユーザが探索された前記場所に到着する前記ユーザ到着時刻を算出することを特徴とする請求項２に記載のフィットネス装置。
【請求項４】
前記判定手段は、前記到着時刻算出手段により算出された前記ユーザ到着時刻の前後所定時間内の時刻が、前記探索手段により探索された前記場所の通行不能時刻情報が示す時刻と合致するか否かを判定することを特徴とする請求項１乃至３の何れか一項に記載のフィットネス装置。
【請求項５】
前記通知手段は、触覚による通知を行なう振動手段、表示により通知を行なう表示手段、音による通知を行なう音声出力手段、の少なくとも何れか一つを備えることを特徴とする請求項１乃至４の何れか一項に記載のフィットネス装置。
【請求項６】
前記データベースを記憶する記憶手段と、
外部機器とデータの入出力を行なう外部入出力手段を更に備え、
前記データベースは、前記外部入出力手段により前記外部機器から入力され、前記記憶手段に記憶されることを特徴とする請求項１乃至５の何れか一項に記載のフィットネス装置。
【請求項７】
前記場所は踏切であり、前記通行不能時刻情報は前記踏切を列車が通過する列車通過時刻情報であることを特徴とする請求項１乃至６の何れか一項に記載のフィットネス装置。
【請求項８】
前記フィットネス装置はサーバであって、
前記通知手段は、通信によりユーザ端末に通行不能を示す情報を通知することを特徴とする請求項１に記載のフィットネス装置。
【請求項９】
所定の地域内に存在し、所定の時刻に通行が不能となる場所の位置情報と当該場所の通行不能時刻情報を示したデータベースと、ユーザに情報を通知する通知手段と、を備えたフィットネス装置の情報通知方法であって、
前記データベースからユーザの移動先に存在する前記場所を探索する探索ステップと、
前記探索ステップにより探索された前記場所にユーザが到着するユーザ到着時刻を算出する到着時刻算出ステップと、
前記到着時刻算出ステップにより算出された前記ユーザ到着時刻が、前記探索ステップにより探索された前記場所の通行不能時刻情報が示す時刻と合致するか否かを判定する判定ステップと、
前記判定ステップにより、前記到着時刻算出ステップにより算出された前記ユーザ到着時刻が、前記探索ステップにより探索された前記場所の通行不能時刻情報が示す時刻と合致すると判定された場合、前記通知手段によりユーザに通行不能を示す情報を通知するように制御する通知制御ステップと、
を含むことを特徴とするフィットネス装置の情報通知方法。
【請求項１０】
所定の地域内に存在し、所定の時刻に通行が不能となる場所の位置情報と当該場所の通行不能時刻情報を示したデータベースを備えたフィットネス装置のコンピュータを、
前記データベースからユーザの移動先に存在する前記場所を探索する探索手段、
前記探索手段により探索された前記場所にユーザが到着するユーザ到着時刻を算出する到着時刻算出手段、
前記到着時刻算出手段により算出された前記ユーザ到着時刻が、前記探索手段により探索された前記場所の通行不能時刻情報が示す時刻と合致するか否かを判定する判定手段、
ユーザに情報を通知する通知手段、
前記判定手段により、前記到着時刻算出手段により算出された前記ユーザ到着時刻が、前記探索手段により探索された前記場所の通行不能時刻情報が示す時刻と合致すると判定された場合、前記通知手段によりユーザに通行不能を示す情報を通知するように制御する通知制御手段、
として機能させることを特徴とするフィットネス装置。
【発明の詳細な説明】
【技術分野】
【０００１】
本発明は、ランニング用のフィットネス装置、フィットネス装置の情報通知方法、及びそのプログラムに関するものである。
【背景技術】
【０００２】
従来、ユーザがフィットネスを行なう場合に身に付けるフィットネス用のモニタリング装置が知られている（例えば、特許文献１）。
【０００３】
特許文献１に記載の技術においては、ユーザがランニングを行なう際、当該モニタリング装置をユーザの身体に身に付けてランニングを行ない、ユーザのランニング速度をモニタリングし、ランニング速度が所定の範囲を外れた場合、ユーザにフィードバックを提供する。
【先行技術文献】
【特許文献】
【０００４】
【特許文献１】特開２０１２−０２０１３４号公報
【発明の概要】
【発明が解決しようとする課題】
【０００５】
ところで、ランニングの練習においては、一定の距離を途中で止まらずに走ることが重要である。しかしながら、一般道路を使って練習を行なう場合、走っているコース上に、所定の時刻に通行不能となる場所が存在することがあり、例えば、前記場所が踏切であれば、ユーザが踏切を通過する際に列車が通る場合は、踏切で長い間止まらなければならなかった。
【０００６】
本発明は、このような課題に鑑みてなされたものであり、ユーザが一般道路を使ってランニングの練習を行なう場合においても、所定の時刻に通行不能となる場所での足止めを防止することができるフィットネス装置、フィットネス装置の情報通知方法、及びそのプログラムを提供することを目的とする。
【課題を解決するための手段】
【０００７】
前記課題を解決するため、本発明のフィットネス装置は、
所定の地域内に存在し、所定の時刻に通行が不能となる場所の位置情報と当該場所の通行不能時刻情報を示したデータベースと、前記データベースからユーザの移動先に存在する前記場所を探索する探索手段と、前記探索手段により探索された前記場所にユーザが到着するユーザ到着時刻を算出する到着時刻算出手段と、前記到着時刻算出手段により算出された前記ユーザ到着時刻が、前記探索手段により探索された前記場所の通行不能時刻情報が示す時刻と合致するか否かを判定する判定手段と、ユーザに情報を通知する通知手段と、前記判定手段により、前記到着時刻算出手段により算出された前記ユーザ到着時刻が、前記探索手段により探索された前記場所の通行不能時刻情報が示す時刻と合致すると判定された場合、前記通知手段によりユーザに通行不能を示す情報を通知するように制御する通知制御手段と、を備えたことを特徴とする。
【０００８】
前記課題を解決するため、本発明のフィットネス装置の情報通知方法は、
所定の地域内に存在し、所定の時刻に通行が不能となる場所の位置情報と当該場所の通行不能時刻情報を示したデータベースと、ユーザに情報を通知する通知手段と、を備えたフィットネス装置の情報通知方法であって、前記データベースからユーザの移動先に存在する前記場所を探索する探索ステップと、前記探索ステップにより探索された前記場所にユーザが到着するユーザ到着時刻を算出する到着時刻算出ステップと、前記到着時刻算出ステップにより算出された前記ユーザ到着時刻が、前記探索ステップにより探索された前記場所の通行不能時刻情報が示す時刻と合致するか否かを判定する判定ステップと、前記判定ステップにより、前記到着時刻算出ステップにより算出された前記ユーザ到着時刻が、前記探索ステップにより探索された前記場所の通行不能時刻情報が示す時刻と合致すると判定された場合、前記通知手段によりユーザに通行不能を示す情報を通知するように制御する通知制御ステップと、を含むことを特徴とする。
【０００９】
前記課題を解決するため、本発明のフィットネス装置のプログラムは、
所定の地域内に存在し、所定の時刻に通行が不能となる場所の位置情報と当該場所の通行不能時刻情報を示したデータベースを備えたフィットネス装置のコンピュータを、前記データベースからユーザの移動先に存在する前記場所を探索する探索手段、前記探索手段により探索された前記場所にユーザが到着するユーザ到着時刻を算出する到着時刻算出手段、前記到着時刻算出手段により算出された前記ユーザ到着時刻が、前記探索手段により探索された前記場所の通行不能時刻情報が示す時刻と合致するか否かを判定する判定手段、ユーザに情報を通知する通知手段、前記判定手段により、前記到着時刻算出手段により算出された前記ユーザ到着時刻が、前記探索手段により探索された前記場所の通行不能時刻情報が示す時刻と合致すると判定された場合、前記通知手段によりユーザに通行不能を示す情報を通知するように制御する通知制御手段、として機能させることを特徴とする。
【発明の効果】
【００１０】
本発明によれば、ユーザが一般道路を使ってランニングの練習を行なう場合においても、所定の時刻に通行不能となる場所での足止めを防止することが可能となる。
【図面の簡単な説明】
【００１１】
【図１】本発明の一実施形態に係るフィットネス装置を身に付けてランニングを行なうユーザの説明図である。
【図２】本発明の一実施形態に係るフィットネス装置の機能ブロック図である。
【図３】本発明の一実施形態に係るフィットネス装置が備えるデータベースの一例を示す説明図である。
【図４】本発明の一実施形態に係るフィットネス装置において実行する処理の一例を示すフローチャートである。
【発明を実施するための形態】
【００１２】
以下、本発明の実施の形態について図面を参照して説明する。
尚、本発明の実施の形態においては、所定の時刻に通行不能となる場所は踏切として説明する。
【００１３】
図１は、本発明の一実施形態に係るフィットネス装置１を身に付けてランニングを行なうユーザの説明図である。フィットネス装置１は、腕時計のようにユーザの手首に嵌めて利用したり、ウエストポーチ等にセットして利用することが可能である。
【００１４】
図２は、フィットネス装置１の回路構成を示す機能ブロック図である。１１は制御部であり、フィットネス装置１全体を制御する。１２はフラッシュメモリ等で構成される記憶部であり、制御部１１がフィットネス装置１全体を制御するためのプログラム１２１、後述するデータベース１２２、地図データ１２３が記憶されている。
【００１５】
１３はＵＳＢ（Universal Serial Bus）等の外部機器との入出力を行なう外部入出力部であり、本実施形態においては、外部のＰＣ（Personal Computer）からデータベース１２２、地図データ１２３を、外部入出力部１３を介して、記憶部１２に記憶する。
【００１６】
１４は操作部であり、各種スイッチから構成される。１５はＧＰＳ（Global Positioning System）等の位置検出部であり、フィットネス装置１を身に付けたユーザの現在位置を取得する。１６は方位センサであり、フィットネス装置１を身に付けたユーザが走っている方角を検出する。１７は加速度センサであり、制御部１１は加速度センサ１７の出力データに基づいて、フィットネス装置１を身に付けたユーザのランニング速度、又はペースを算出する。１８は計時部であり、現在時刻を取得する。
【００１７】
１９は通知部であり、振動部１９１によるバイブレーション等による触覚通知、表示部１９２によるビジュアル通知、音声出力部１９３による音声通知の少なくとも何れか一つにより、フィットネス装置１を身に付けたユーザに対して情報の通知を行なう。
【００１８】
尚、本実施例では、通知部１９に、振動部１９１、表示部１９２、音声出力部１９３を備える構成にしたが、少なくとも何れか一つの通知手段を備えれば良い。
【００１９】
尚、フィットネス装置１の各部１１〜１９は、バス２０によって接続されている。
【００２０】
図３は、記憶部１２に記憶されるデータベース１２２の一例を示す説明図である。
例えば、ユーザがユーザの居住地を中心とした半径１０Ｋｍの地域内でランニングの練習を行なう場合、外部のＰＣで前記地域内の地図データ１２３を取得する。地図データ１２３には前記地域内に存在する路線情報（路線名）、駅情報（駅名、駅の位置情報）、踏切情報（踏切の位置情報）が含まれているので、路線名と駅名が分かれば、各駅の時刻表データが取得できる。そして、各駅の位置情報、踏切の位置情報から、各駅間、駅と踏切間の距離を算出すると、各駅の時刻表データからそれぞれの踏切を列車が通過する時刻が算出される。
【００２１】
このようにして、データベース１２２は図３に示すように、前記地域内に存在する踏切毎に、位置情報と当該踏切を列車が通過する時刻情報が登録され、外部入出力部１３を介して、外部のＰＣからフィットネス装置１の記憶部１２にデータベース１２２と地図データ１２３が記憶される。
【００２２】
次に、以上の構成からなるフィットネス装置１の本発明に係わる動作を、図４を参照し説明する。
【００２３】
図４は、制御部１１がプログラム１２１を実行することにより行われる、フィットネス装置１の本発明の一実施形態に係る処理の一例を示すフローチャートである。
本実施例において、ユーザは、フィットネス装置１を腕時計のよう手首に嵌める、ウエストポーチにセットする等の方法により、身体に身に付けてランニングを行なうものとする。
【００２４】
先ず、データベース１２２と地図データ１２３を、外部入出力部１３を介して、記憶部１２に記憶させる初期設定処理が行われる（ステップＳ１）。
【００２５】
そして、ユーザが操作部１４の図示しないＳＴＡＲＴスイッチを操作して、ランニングを開始するのを待つ（ステップＳ２：Ｎｏ）。ＳＴＡＲＴスイッチが操作され、ランニングが開始されると（ステップＳ２：Ｙｅｓ）、制御部１１は、ＧＰＳ等の位置検出部１５から、ユーザの現在位置情報を取得し（ステップＳ３）、更に、方位センサ１６から取得した出力データによって、ユーザが走っている方角を検出する（ステップＳ４）。
【００２６】
制御部１１は、取得したユーザの現在位置情報とユーザが走っている方角に基づいて、データベース１２２に登録されている踏切の中から、ユーザが走っている方角に存在し、ユーザの現在位置から最も近い踏切を探索する（ステップＳ５）。
【００２７】
そして、ユーザの現在位置から探索された踏切までの距離を、それぞれの位置情報と地図データ１２３から算出する（ステップＳ６）。尚、この２つの地点間の距離算出については、ナビゲーションシステム等で行われている一般的な手法を用いることが可能であり、詳細な説明については省略する。
【００２８】
次に、制御部１１は、加速度センサ１７の出力データを取得し、ユーザのランニング速度（又はペース）を算出し（ステップＳ７）、計時部１８で現在時刻を取得する（ステップＳ８）。
【００２９】
制御部１１は、取得した現在時刻と、ユーザの現在位置から探索された踏切までの距離と、ユーザのランニング速度（又はペース）から、ステップＳ５で探索された踏切へのユーザの到着予想時刻を算出する（ステップＳ９）。
【００３０】
そして、探索された踏切へのユーザの到着予想時刻に列車の通過が有るかどうかを、データベース１２２の探索された踏切に対する列車通過時刻情報から検索して判定する（ステップＳ１０）。例えば、探索された踏切が、データベース１２２の踏切１で、踏切１へのユーザの到着予想時刻が１０：００の場合は列車の通過有りと判定され、到着予想時刻が１０：０５の場合は列車の通過無し、と判定される。
【００３１】
尚、本実施例では、ユーザの到着予想時刻とデータベース１２２の列車通過時刻情報に一致する列車通過時刻があるかどうかで判定したが、ユーザの到着予想時刻の前後所定の時間内（例えば、前後１分以内）に、列車通過時刻があるかどうかで判定しても良い。この場合、踏切１へのユーザの到着予想時刻が９：５９、又は１０：０１の場合でも、列車の通過有りと判定される。
【００３２】
また、本実施例では、データベース１２２の列車通過時刻情報を１０：００のような、ある時刻情報としたが、１０：００−１０：０２のように範囲を持たせた情報としても良い。
【００３３】
ステップＳ１０の判定で列車通過無しと判定されると（ステップＳ１０：Ｎｏ）、ユーザが操作部１４の図示しないＳＴＯＰスイッチを操作して、ランニングを終了するかどうかを判定する。ＳＴＯＰスイッチが操作されず、ランニングが継続される場合は（ステップＳ１２：Ｎｏ）、ステップＳ３に戻り、ステップＳ３からステップＳ１２の処理を繰り返す。
【００３４】
ステップＳ１０の判定で列車通過有りと判定されると（ステップＳ１０：Ｙｅｓ）、制御部１１は、通知部１９の振動部１９１によるバイブレーション等による触覚通知、表示部１９２によるビジュアル通知、音声出力部１９３による音声通知の少なくとも何れか一つにより、走っている方角に存在する踏切で列車の通過が有る旨の情報を、フィットネス装置１を身に付けたユーザに対して通知する（ステップＳ１１）。
【００３５】
ユーザは、この列車の通過が有る旨の情報を受けることにより、例えば、走るコースを変えて当該踏切を迂回する、ランニング速度（又はペース）を上げて列車の通過前に当該踏切を渡る、ランニング速度（又はペース）を下げて列車の通過後に当該踏切を渡る等の動作により当該踏切での足止めを防止することができる。
【００３６】
そして、ユーザが操作部１４の図示しないＳＴＯＰスイッチを操作して、ランニングを終了するかどうかを判定する。ＳＴＯＰスイッチが操作されず、ランニングが継続される場合は（ステップＳ１２：Ｎｏ）、ステップＳ３に戻り、ステップＳ３からステップＳ１２の処理を繰り返す。
【００３７】
ユーザが操作部１４の図示しないＳＴＯＰスイッチを操作して、ランニングを終了した場合（ステップＳ１２：Ｙｅｓ）、制御部１１は、フィットネス装置１の本発明に係わる動作を終了する。
【００３８】
本実施形態においては、ユーザがＳＴＯＰスイッチを操作してランニングを終了するまで、ステップＳ３からステップＳ１２の処理を連続的に繰り返すようにしたが、ステップＳ３からステップＳ１２を所定の間隔（例えば、１分間隔）で繰り返すようにしても良い。
【００３９】
前記説明した本発明のフィットネス装置の一実施形態においては、ランニング中にユーザが走る方角に存在する踏切に対して、ユーザが当該踏切に到着する時刻と、当該踏切を列車が通過する時刻が重なる可能性がある場合、ユーザに通知するようにした。
【００４０】
そして、このように構成された本発明のフィットネス装置は、ユーザが一般道路でランニングの練習を行なう場合においても、踏切で列車の通過待ちによる足止めを防止することができる。
【００４１】
尚、前記実施形態においては、所定の時刻に通行不能となる場所を踏切として説明したが、例えば、工事等により所定の時刻に通行止めとなる場所であっても良い。
【００４２】
また、前記実施形態においては、ユーザの現在位置情報とユーザが走っている方角に基づいて、データベース１２２に登録されている踏切の中から、ユーザが走っている方角に存在し、ユーザの現在位置から最も近い踏切を探索したが、ユーザが予めランニングコースを地図データ１２３上で設定し、ランニングコースに存在する現在位置から最も近い踏切を探索したり、ランニングコースに存在する全ての踏切を探索するようにしても良い。
【００４３】
また、本発明のフィットネス装置をサーバで構築し、通信によりユーザ端末に通行不能を示す情報を通知するようにしても良い。
【００４４】
以上、本発明の実施形態について説明したが、これらは本発明の作用効果が得られる範囲内であれば適宜変更が可能であり、変更後の実施形態も特許請求の範囲に記載された発明、及びその発明と均等の発明の範囲に含まれる。以下に、本出願の当初の特許請求の範囲に記載された発明を付記する。
[請求項１]
所定の地域内に存在し、所定の時刻に通行が不能となる場所の位置情報と当該場所の通行不能時刻情報を示したデータベースと、
前記データベースからユーザの移動先に存在する前記場所を探索する探索手段と、
前記探索手段により探索された前記場所にユーザが到着するユーザ到着時刻を算出する到着時刻算出手段と、
前記到着時刻算出手段により算出された前記ユーザ到着時刻が、前記探索手段により探索された前記場所の通行不能時刻情報が示す時刻と合致するか否かを判定する判定手段と、
ユーザに情報を通知する通知手段と、
前記判定手段により、前記到着時刻算出手段により算出された前記ユーザ到着時刻が、前記探索手段により探索された前記場所の通行不能時刻情報が示す時刻と合致すると判定された場合、前記通知手段によりユーザに通行不能を示す情報を通知するように制御する通知制御手段と、
を備えたことを特徴とするフィットネス装置。
[請求項２]
移動中の前記ユーザの現在位置情報を取得する位置検出手段と、
前記ユーザの移動方角を取得する方角検出手段と、を更に備え、
前記探索手段は、前記ユーザの現在位置情報と前記ユーザの移動方角とに基づいて、前記データベースから前記ユーザの移動方角に存在し、前記ユーザの現在位置から最も近い前記場所を探索することを特徴とする請求項１に記載のフィットネス装置。
[請求項３]
前記ユーザの移動速度を取得する速度検出手段と、
現在時刻を取得する計時手段と、
前記位置検出手段により取得した前記ユーザの現在位置情報から、前記探索手段により探索された前記場所までの距離を算出する距離算出手段と、を更に備え、
前記到着時刻算出手段は、前記現在時刻と、前記ユーザの現在位置から探索された前記場所までの距離と、前記ユーザの移動速度とに基づいて、前記ユーザが探索された前記場所に到着する前記ユーザ到着時刻を算出することを特徴とする請求項２に記載のフィットネス装置。
[請求項４]
前記判定手段は、前記到着時刻算出手段により算出された前記ユーザ到着時刻の前後所定時間内の時刻が、前記探索手段により探索された前記場所の通行不能時刻情報が示す時刻と合致するか否かを判定することを特徴とする請求項１乃至３の何れか一項に記載のフィットネス装置。
[請求項５]
前記通知手段は、触覚による通知を行なう振動手段、表示により通知を行なう表示手段、音による通知を行なう音声出力手段、の少なくとも何れか一つを備えることを特徴とする請求項１乃至４の何れか一項に記載のフィットネス装置。
[請求項６]
前記データベースを記憶する記憶手段と、
外部機器とデータの入出力を行なう外部入出力手段を更に備え、
前記データベースは、前記外部入出力手段により前記外部機器から入力され、前記記憶手段に記憶されることを特徴とする請求項１乃至５の何れか一項に記載のフィットネス装置。
[請求項７]
前記場所は踏切であり、前記通行不能時刻情報は前記踏切を列車が通過する列車通過時刻情報であることを特徴とする請求項１乃至６の何れか一項に記載のフィットネス装置。
[請求項８]
前記フィットネス装置はサーバであって、
前記通知手段は、通信によりユーザ端末に通行不能を示す情報を通知することを特徴とする請求項１に記載のフィットネス装置。
[請求項９]
所定の地域内に存在し、所定の時刻に通行が不能となる場所の位置情報と当該場所の通行不能時刻情報を示したデータベースと、ユーザに情報を通知する通知手段と、を備えたフィットネス装置の情報通知方法であって、
前記データベースからユーザの移動先に存在する前記場所を探索する探索ステップと、
前記探索ステップにより探索された前記場所にユーザが到着するユーザ到着時刻を算出する到着時刻算出ステップと、
前記到着時刻算出ステップにより算出された前記ユーザ到着時刻が、前記探索ステップにより探索された前記場所の通行不能時刻情報が示す時刻と合致するか否かを判定する判定ステップと、
前記判定ステップにより、前記到着時刻算出ステップにより算出された前記ユーザ到着時刻が、前記探索ステップにより探索された前記場所の通行不能時刻情報が示す時刻と合致すると判定された場合、前記通知手段によりユーザに通行不能を示す情報を通知するように制御する通知制御ステップと、
を含むことを特徴とするフィットネス装置の情報通知方法。
[請求項１０]
所定の地域内に存在し、所定の時刻に通行が不能となる場所の位置情報と当該場所の通行不能時刻情報を示したデータベースを備えたフィットネス装置のコンピュータを、
前記データベースからユーザの移動先に存在する前記場所を探索する探索手段、
前記探索手段により探索された前記場所にユーザが到着するユーザ到着時刻を算出する到着時刻算出手段、
前記到着時刻算出手段により算出された前記ユーザ到着時刻が、前記探索手段により探索された前記場所の通行不能時刻情報が示す時刻と合致するか否かを判定する判定手段、
ユーザに情報を通知する通知手段、
前記判定手段により、前記到着時刻算出手段により算出された前記ユーザ到着時刻が、前記探索手段により探索された前記場所の通行不能時刻情報が示す時刻と合致すると判定された場合、前記通知手段によりユーザに通行不能を示す情報を通知するように制御する通知制御手段、
として機能させることを特徴とするフィットネス装置。
【符号の説明】
【００４５】
１          フィットネス装置
１１        制御部
１２        記憶部
１２１      プログラム
１２２      データベース
１２３      地図データ
１３        外部入出力部
１４        操作部
１５        位置検出部
１６        方位センサ
１７        加速度センサ
１８        計時部
１９        通知部
１９１      振動部
１９２      表示部
１９３      音声出力部
２０        バス
【図１】
2015173707.tif 000003
【図２】
2015173707.tif 000004
【図３】
2015173707.tif 000005
【図４】
2015173707.tif 000006